(57)【要約】  本願の実施例は無線リンク失敗処理方法及び関連製品を開示し、前記RLC層エンティティが最大再送回数に達する場合、端末が前記RLC層エンティティの設定に基づいて通信失敗過程をトリガーすることを含む。本願の実施例によれば、異なるRLC層エンティティ設定を区別して、異なる無線リンク失敗過程をトリガーすることで、リンク中断をできるだけ低減して、リンク失敗をタイムリーに回復することができる。
2021521657.tif 000002
【特許請求の範囲】
【請求項１】
無線リンク失敗処理方法であって、端末に適用され、前記端末は論理リンク制御RLC層エンティティを備え、前記方法は、
前記RLC層エンティティが最大再送回数に達する場合、前記RLC層エンティティの設定に基づいて通信失敗過程をトリガーすることを含むことを特徴とする無線リンク失敗処理方法。
【請求項２】
前記通信失敗は、
無線リンク失敗、セカンダリセルグループSCG無線リンク失敗、セカンダリセルSCell無線リンク失敗、のいずれか1つを含むことを特徴とする請求項1に記載の方法。
【請求項３】
前記RLC層エンティティが最大再送回数に達することは、前記RLC層データの再送回数が予め設定された最大再送閾値に達することを指すことを特徴とする請求項1又は2に記載の方法。
【請求項４】
前記RLC層エンティティに対応する論理チャネルによって設定したキャリアセットはプライマリセルPcellを含み、前記RLC層エンティティの設定に基づいて通信失敗過程をトリガーすることは、
無線リンク失敗過程をトリガーすることを含むことを特徴とする請求項1〜3のいずれか1項に記載の方法。
【請求項５】
前記RLC層エンティティに対応する論理チャネルによって設定したキャリアセットがプライマリセルPcellを含むことは具体的に、前記RLC層エンティティに対応するベアラがデータ複製伝送を設定してアクティベーションした場合、前記RLC層エンティティに対応する論理チャネルデータをPcellにおいて伝送することができる状況を指すことを特徴とする請求項4に記載の方法。
【請求項６】
前記RLC層エンティティに対応する論理チャネルによって設定したキャリアセットがプライマリセルPcellを含むことは具体的に、前記RLC層エンティティに対応するベアラがデータ複製伝送を設定したがアクティベーションしていない場合、前記RLC層エンティティに対応する論理チャネルデータをPcellにおいて伝送することができる状況を指すことを特徴とする請求項4に記載の方法。
【請求項７】
前記RLC層エンティティに対応する論理チャネルによって設定したキャリアセットがプライマリセルPcellを含むことは具体的に、前記RLC層エンティティに対応するベアラがデータ複製伝送を設定していない場合、前記RLC層エンティティに対応する論理チャネルデータをPcellにおいて伝送することができる状況を指すことを特徴とする請求項4に記載の方法。
【請求項８】
前記RLC層エンティティとは、キャリアアグリゲーション複製機能CA duplicationでのプライマリ無線リンク制御Primary RLC層エンティティを指すことを特徴とする請求項4〜7のいずれか1項に記載の方法。
【請求項９】
前記RLC層エンティティに対応する論理チャネルによって設定したキャリアセットはプライマリセカンダリセルPSCellを含み、前記RLC層エンティティの設定に基づいて通信失敗過程をトリガーすることは、
セカンダリセルグループSCG無線リンク失敗過程をトリガーすることを含むことを特徴とする請求項1〜3のいずれか1項に記載の方法。
【請求項１０】
前記RLC層エンティティに対応する論理チャネルによって設定したキャリアセットがプライマリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指すことを特徴とする請求項9に記載の方法。
【請求項１１】
前記RLC層エンティティに対応する論理チャネルによって設定したキャリアセットがプライマリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指すことを特徴とする請求項9に記載の方法。
【請求項１２】
前記RLC層エンティティに対応する論理チャネルによって設定したキャリアセットがプライマリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指すことを特徴とする請求項9に記載の方法。
【請求項１３】
前記RLC層エンティティとは、キャリアアグリゲーション複製機能CA duplicationでのプライマリ無線リンク制御Primary RLC層エンティティを指すことを特徴とする請求項9〜12のいずれか1項に記載の方法。
【請求項１４】
前記RLC層エンティティに対応する論理チャネルによって設定したキャリアセットはSCellのみを含み、前記RLC層エンティティの設定に基づいて通信失敗過程をトリガーすることは、
セカンダリセルSCell無線リンク失敗の報告をトリガーすることを含むことを特徴とする請求項1〜3のいずれか1項に記載の方法。
【請求項１５】
前記RLC層エンティティに対応する論理チャネルによって設定したキャリアセットがSCellのみを含むことは具体的に、前記RLC層エンティティに対応するベアラがデータ複製伝送を設定してアクティベーションした場合、前記RLC層エンティティに対応する論理チャネルデータをScellのみにおいて伝送することができる状況を指すことを特徴とする請求項14に記載の方法。
【請求項１６】
前記RLC層エンティティとは、キャリアアグリゲーション複製機能CA duplicationでのプライマリ無線リンク制御Primary RLC層エンティティを指すことを特徴とする請求項14又は15に記載の方法。
【請求項１７】
前記RLC層エンティティとは、キャリアアグリゲーション複製機能CA duplicationでのセカンダリ無線リンク制御secondary RLC層エンティティを指すことを特徴とする請求項14又は15に記載の方法。
【請求項１８】
前記secondary RLCとは、前記端末のキャリアアグリゲーション複製機能CA duplicationがディアクティベーションされた後、PDCP層エンティティの新しいデータを受信しなくなるRLC層エンティティを指すことを特徴とする請求項17に記載の方法。
【請求項１９】
前記Primary RLC層エンティティとは、前記端末のキャリアアグリゲーション複製機能CA duplication機能がディアクティベーションされた後、PDCP層エンティティからの新しいデータを続いて受信するRLC層エンティティを指すことを特徴とする請求項8又は13又は16に記載の方法。
【請求項２０】
端末であって、端末に適用され、前記端末はサービスデータ適応プロトコルSDAP層エンティティを備え、前記端末は処理ユニットと通信ユニットを備え、
前記処理ユニットは、前記RLC層エンティティが前記通信ユニットにより最大再送回数に達する場合、前記RLC層エンティティの設定に基づいて通信失敗過程をトリガーすることに用いられることを特徴とする端末。
【請求項２１】
前記通信失敗は、
無線リンク失敗、セカンダリセルグループSCG無線リンク失敗、セカンダリセルSCell無線リンク失敗、のいずれか1つを含むことを特徴とする請求項20に記載の端末。
【請求項２２】
前記RLC層エンティティが最大再送回数に達することは、前記RLC層データの再送回数が予め設定された最大再送閾値に達することを指すことを特徴とする請求項20又は21に記載の端末。
【請求項２３】
前記RLC層エンティティに対応する論理チャネルによって設定したキャリアセットはプライマリセルPcellを含み、前記RLC層エンティティの設定に基づいて通信失敗過程をトリガーすることについて、前記処理ユニットは具体的に、無線リンク失敗過程をトリガーすることに用いられることを特徴とする請求項20〜22のいずれか1項に記載の端末。
【請求項２４】
前記RLC層エンティティに対応する論理チャネルによって設定したキャリアセットがプライマリセルPcellを含むことは具体的に、前記RLC層エンティティに対応するベアラがデータ複製伝送を設定してアクティベーションした場合、前記RLC層エンティティに対応する論理チャネルデータをPcellにおいて伝送することができる状況を指すことを特徴とする請求項23に記載の端末。
【請求項２５】
前記RLC層エンティティに対応する論理チャネルによって設定したキャリアセットがプライマリセルPcellを含むことは具体的に、前記RLC層エンティティに対応するベアラがデータ複製伝送を設定したがアクティベーションしていない場合、前記RLC層エンティティに対応する論理チャネルデータをPcellにおいて伝送することができる状況を指すことを特徴とする請求項23に記載の端末。
【請求項２６】
前記RLC層エンティティに対応する論理チャネルによって設定したキャリアセットがプライマリセルPcellを含むことは具体的に、前記RLC層エンティティに対応するベアラがデータ複製伝送を設定していない場合、前記RLC層エンティティに対応する論理チャネルデータをPcellにおいて伝送することができる状況を指すことを特徴とする請求項23に記載の端末。
【請求項２７】
前記RLC層エンティティとは、キャリアアグリゲーション複製機能CA duplicationでのプライマリ無線リンク制御Primary RLC層エンティティを指すことを特徴とする請求項23〜26のいずれか1項に記載の端末。
【請求項２８】
前記RLC層エンティティに対応する論理チャネルによって設定したキャリアセットはプライマリセカンダリセルPSCellを含み、前記RLC層エンティティの設定に基づいて通信失敗過程をトリガーすることについて、前記処理ユニットは具体的に、セカンダリセルグループSCG無線リンク失敗過程をトリガーすることに用いられることを特徴とする請求項20〜22のいずれか1項に記載の端末。
【請求項２９】
前記RLC層エンティティに対応する論理チャネルによって設定したキャリアセットがプライマリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指すことを特徴とする請求項28に記載の端末。
【請求項３０】
前記RLC層エンティティに対応する論理チャネルによって設定したキャリアセットがプライマリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指すことを特徴とする請求項28に記載の端末。
【請求項３１】
前記RLC層エンティティに対応する論理チャネルによって設定したキャリアセットがプライマリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指すことを特徴とする請求項28に記載の端末。
【請求項３２】
前記RLC層エンティティとは、キャリアアグリゲーション複製機能CA duplicationでのプライマリ無線リンク制御Primary RLC層エンティティを指すことを特徴とする請求項29〜31のいずれか1項に記載の端末。
【請求項３３】
前記RLC層エンティティに対応する論理チャネルによって設定したキャリアセットはSCellのみを含み、前記RLC層エンティティの設定に基づいて通信失敗過程をトリガーすることについて、前記処理ユニットは具体的に、セカンダリセルSCell無線リンク失敗の報告をトリガーすることに用いられることを特徴とする請求項20〜22のいずれか1項に記載の端末。
【請求項３４】
前記RLC層エンティティに対応する論理チャネルによって設定したキャリアセットがSCellのみを含むことは具体的に、前記RLC層エンティティに対応するベアラがデータ複製伝送を設定してアクティベーションした場合、前記RLC層エンティティに対応する論理チャネルデータをScellのみにおいて伝送することができる状況を指すことを特徴とする請求項33に記載の端末。
【請求項３５】
プロセッサ、メモリ、通信インタフェース、及び1つ又は複数のプログラムを備え、前記1つ又は複数のプログラムは前記メモリに記憶されて、前記プロセッサにより実行されるように設定され、前記プログラムは、請求項1〜19のいずれか1項に記載の方法におけるステップを実行するための指令を含むことを特徴とする端末。
【請求項３６】
電子データ交換のためのコンピュータプログラムが記憶され、前記コンピュータプログラムによりコンピュータは請求項1〜19のいずれか1項に記載の方法を実行することを特徴とするコンピュータ読み取り可能な記憶媒体。
【発明の詳細な説明】
【技術分野】
【０００１】
本願は通信技術の分野に関し、特に無線リンク失敗処理方法及び関連製品に関する。
【背景技術】
【０００２】
無線通信システムにおいて、端末はネットワーク側が送信したキャリア情報に基づいて、該キャリアを使用する隣接セルの信号品質を検出する。ロングタームエボリューションアドバンス(long-term evolution advance、LTE-A)システム等のキャリアアグリゲーションシステムでは、端末は同時に該端末にサービスを提供する複数のキャリアを有する可能性があり、1つの基地局でのキャリアアグリゲーションはアグリゲーションセルと呼ばれる。アグリゲーションセルが端末にサービスを提供する場合、端末は複数のアップリンクキャリアとダウンリンクキャリアを同時に使用してデータを伝送することができる。一部のキャリア(アップリンク及び/又はダウンリンク)だけに無線リンク失敗が発生した場合、端末は依然として他の失敗していないキャリアを介して基地局と通信することができる。すべてのキャリア(ダウンリンク及び/又はアップリンク)に無線リンク失敗が発生した場合のみ、端末は無線リンク失敗を判定して、無線リソース制御（Radio Resource Control、RRC）接続再確立過程を開始して、基地局とのシグナリング接続を回復する。現在の新無線（new radio）システムの検討では、RLCエンティティに対して、対応する論理チャネルによって設定したセルグループがすべてセカンダリセルである場合、AM RLCのあるRLC SDUの再送が最大回数に達すると、RRC再設定をトリガーすることなく、再送が最大回数に達したことを報告すればよく、端末への再設定による影響を低減することができる。しかし、現在、どのようにRLCエンティティを適切に設定するかについては検討されていない。
【発明の概要】
【発明が解決しようとする課題】
【０００３】
本願の実施例は無線リンク失敗処理方法及び関連製品を提供し、異なるRLC層エンティティ設定を区別して、異なる無線リンク失敗過程をトリガーすることで、リンク中断をできるだけ低減して、リンク失敗をタイムリーに回復することができる。
【課題を解決するための手段】
【０００４】
第1の態様において、本願の実施例は無線リンク失敗処理方法を提供し、端末に適用され、前記端末は論理リンク制御RLC層エンティティを備え、前記方法は、
前記RLC層エンティティが最大再送回数に達する場合、前記RLC層エンティティの設定に基づいて通信失敗過程をトリガーすることを含む。
【０００５】
第2の態様において、本願の実施例は端末を提供し、該端末は上記方法設計における端末の挙動を実現する機能を有する。前記機能はハードウェアによって実現されてもよく、ハードウェアが対応のソフトウェアを実行することによって実現されてもよい。前記ハードウェア又はソフトウェアは、上記機能に対応する1つ又は複数のモジュールを含む。1つの可能な設計において、端末はプロセッサを備え、前記プロセッサは端末が上記方法における対応の機能を実行することをサポートするように設定される。更に、端末は送受信機を備えてもよく、前記送受信機は端末とネットワーク装置との間の通信をサポートすることに用いられる。更に、端末はメモリを備えてもよく、前記メモリはプロセッサとカップリングすることに用いられ、端末に必要なプログラム指令とデータを保存する。
【０００６】
第3の態様において、本願の実施例は端末を提供し、プロセッサ、メモリ、通信インタフェース、1つ又は複数のプログラムを備え、前記1つ又は複数のプログラムは前記メモリに記憶されて、前記プロセッサにより実行されるように設定され、前記プログラムは、本願の実施例の第2の態様のいずれかの方法におけるステップを実行するための指令を含む。
【０００７】
第4の態様において、本願の実施例はコンピュータ読み取り可能な記憶媒体を提供し、前記コンピュータ読み取り可能な記憶媒体は電子データ交換のためのコンピュータプログラムを記憶し、前記コンピュータプログラムによりコンピュータは本願の実施例の第1の態様のいずれかの方法に記載の一部又は全部のステップを実行する。
【０００８】
第5の態様において、本願の実施例はコンピュータプログラム製品を提供し、前記コンピュータプログラム製品はコンピュータプログラムを記憶する非瞬時的なコンピュータ読み取り可能な記憶媒体を備え、前記コンピュータプログラムの操作によりコンピュータは本願の実施例の第1の態様のいずれかの方法に記載の一部又は全部のステップを実行する。該コンピュータプログラム製品は、1つのソフトウェアインストールパッケージであってもよい。
【発明の効果】
【０００９】
これから分かるように、本願の実施例において、前記RLC層エンティティが最大再送回数に達する場合、端末が前記RLC層エンティティの設定に基づいて通信失敗過程をトリガーする。異なるRLCエンティティに対応する設定は異なってもよいため、端末は異なるRLC層エンティティの設定を区別して、異なる無線リンク失敗過程をトリガーすることができ、これにより端末の無線リンク中断をできるだけ低減して、リンク失敗をタイムリーに回復することができ、端末の無線通信の信頼性を高めるのに有利である。
【図面の簡単な説明】
【００１０】
以下、実施例又は従来技術の説明に必要な図面を簡単に説明する。
【００１１】
【図１Ａ】図1Aは本願の実施例による可能な通信システムのネットワークアーキテクチャ図である。
【図１Ｂ】図1Bは本願の実施例によるPDCPのデータ複製機能の模式図である。
【図２】図2は本願の実施例による無線リンク失敗処理方法のフロー模式図である。
【図３】図3は本願の実施例による無線リンク失敗処理方法のフロー模式図である。
【図４】図4は本願の実施例による無線リンク失敗処理方法のフロー模式図である。
【図５】図5は本願の実施例による端末の構造模式図である。
【図６】図6は本願の実施例による端末の構造模式図である。
【発明を実施するための形態】
【００１２】
以下、図面を参照して、本願の実施例による技術的手段を説明する。
【００１３】
例として、図1Aは本願に係る無線通信システムを示す。該無線通信システム100は高周波数帯域で動作することができ、ロングタームエボリューション（Long Term Evolution、LTE）システムに限らず、将来進化する第5世代移動通信（the 5th Generation、5G）システム、新無線(NR)システム、マシンツーマシン通信（Machine to Machine、M2M）システム等であってもよい。該無線通信システム100は、1つ又は複数のネットワーク装置101、1つ又は複数の端末103、及びコアネットワーク装置105を備えてもよい。ここで、ネットワーク装置101は基地局であってもよく、基地局は1つ又は複数の端末と通信することに用いられてもよく、一部の端末機能を持つ1つ又は複数の基地局と通信することにも用いられてもよい(例えば、マクロ基地局とマイクロ基地局)。基地局は時分割同期符号分割多元接続（Time Division Synchronous Code Division Multiple Access、TD-SCDMA）システムにおける基地局送受信局（Base Transceiver Station、BTS）であってもよく、LTEシステムにおける進化型基地局（Evolutional Node B、eNB）、及び5Gシステム、新無線(NR)システムにおける基地局であってもよい。また、基地局はアクセスポイント（Access Point、AP）、伝送ノード（Trans TRP）、センターユニット（Central Unit、CU）又は他のネットワークエンティティであってもよく、上記ネットワークエンティティの機能の一部又は全部を含んでもよい。コアネットワーク装置105は、アクセスと移動管理機能（Access and Mobility Management Function、AMF）エンティティ、ユーザプレーン機能（User Plane Function、UPF）エンティティ、セッション管理機能（Session Management Function、SMF）等のコアネットワーク側の装置を含む。端末103は無線通信システム100全体に分布してもよく、静止してもよく、移動してもよい。本願のいくつかの実施例において、端末103は移動装置（例えばスマートフォン）、移動局（
mobile station）、移動ユニット（mobile unit）、M2M端末、無線ユニット、リモートユニット、ユーザエージェント、移動クライアント等であってもよい。
【００１４】
なお、図1Aに示す無線通信システム100は、本願の技術的手段をより明確に説明するためのものに過ぎず、本願を限定するものではない。当業者が理解できるように、ネットワークアーキテクチャの進化及び新しいサービスシーンの出現に伴い、本願による技術的手段は類似の技術課題に対しても同様に適用する。
【００１５】
以下、本願に係る関連技術を説明する。
【００１６】
現在、第5世代移動通信技術（5th-Generation、5G）及びNRシステムでは、データ複製伝送について、NRの現在の検討において、PDCP duplication方式に基づいてデータ複製伝送が同時に行われ、データ伝送の信頼性が向上している。NRは現在、データ複製伝送をサポートする2つのアーキテクチャを定義し、即ち、キャリアアグリゲーション（carrier aggregation、CA）場合に対して、データ複製伝送をサポートする手段はPDCP層のデータ複製機能を利用して、複製したPDCP PDUを2つのRLC entity(2つの異なる論理チャネル)にそれぞれ伝送し、最終的に複製したPDCP PDUが異なる物理層のキャリアアグリゲーションで伝送することができることを保証し、周波数ダイバーシティゲインを達成してデータ伝送の信頼性を高める。具体的なプロトコル構造は図1Bに示され、無線リンク制御層RLC層エンティティに対応する論理チャネルは、1つ又は1セットのセル(グループ)を設定することができ、CA duplicationでの2つの論理チャネルによって設定したセル(グループ)は異なることで、複製したPDCP PDUを異なるキャリアで伝送することができ、伝送ダイバーシティ効果が向上し、信頼性が向上している現在に至っている。NR RAN2の検討では、99回目の会議検討において、# 99 agreementsという結論が出た。 
1. RLC reports maxNumber of RLC retransmissions are reached to RRC.
2. For a logical channel restricted to one or multiple SCell(s) (i.e. logical channel configured for duplication) UE reports the failure to the gNB (e.g. SCell-RLF) but no RRC re-establishment happens.
【００１７】
RLCエンティティに対して、対応する論理チャネルによって設定したセルグループがすべてセカンダリセルである場合、AM RLCのあるRLC SDUの再送が最大回数に達すると、RRC再設定をトリガーすることなく、再送が最大回数に達したことを報告すればよく、UEへの再設定による影響を低減することができる。しかし、現在、どのようにRLCエンティティを適切に設定するかについては検討されていない。
【００１８】
上述問題に対して、本願の実施例は以下の実施例を提案し、以下では図面を参照して詳細に説明する。
【００１９】
図2を参照して、図2は本願の実施例による無線リンク失敗処理方法であり、上記例示の通信システムにおける端末に適用され、前記端末は論理リンク制御RLC層エンティティを備え、該方法は、
201部分において、前記RLC層エンティティが最大再送回数に達する場合、前記端末は前記RLC層エンティティの設定に基づいて通信失敗過程をトリガーすることを含む。
【００２０】
ここで、前記RLC層エンティティが最大再送回数に達することは、前記RLC層データの再送回数が予め設定された最大再送閾値に達することを指し、具体的に、前記RLC層エンティティが処理したRLCサービスデータユニットSDUに関連する再送カウンターであってもよい。
【００２１】
ここで、前記最大再送回数はプロトコルによって予め決められてもよく、数値は2回、3回、4回等であってもよく、ここでは限定しない。
【００２２】
ここで、RLC層はパケットデータコンバージェンスプロトコルPDCP層とメディアアクセス制御MAC層との間に位置する。それはサービスアクセスポイント（Service Access Point、SAP）を介してPDCP層と通信し、論理チャネルを介してMAC層と通信する。各端末の各論理チャネルはいずれも1つのRLC層エンティティを有する。RLC層エンティティがPDCP層から受信したデータ、又はPDCP層へ送信されたデータは、RLC SDU（又はPDCP PDU）と呼ばれる。RLCエンティティがMAC層から受信したデータ、又はMAC層へ送信されたデータはRLC PDU(又はMAC SDU)と呼ばれる。
【００２３】
RLC層の機能はRLCエンティティによって実現される。1つのRLCエンティティは以下の（1）〜（3）のモードの1つに設定されてもよい。
(1)トランスペアレントモードTransparent Mode（TM）：TM RLCエンティティに対応し、TMエンティティと略称する。該モードは空きRLCと考えることができ、このモードではデータのトランスペアレント（passthrough）機能しか提供していないからである。
(2)非確認モードUnacknowledged Mode（UM）：UM RLCエンティティに対応し、UMエンティティと略称する。該モードでは再送と再セグメント化以外の全部のRLC機能を提供するため、信頼性の低い伝送サービスを提供する。
(3)確実モードAcknowledged Mode（AM）：AM RLCエンティティに対応し、AMエンティティと略称する。エラー検出と再送により、AMモードでは信頼性の高い伝送サービスを提供する。該モードはすべてのRLC機能を提供する。
【００２４】
これから分かるように、本願の実施例において、前記RLC層エンティティが最大再送回数に達する場合、端末が前記RLC層エンティティの設定に基づいて通信失敗過程をトリガーする。異なるRLCエンティティに対応する設定は異なってもよいため、端末は異なるRLC層エンティティの設定を区別して、異なる無線リンク失敗過程をトリガーすることができ、これにより端末の無線リンク中断をできるだけ低減して、リンク失敗をタイムリーに回復することができ、端末の無線通信の信頼性を高めるのに有利である。
【００２５】
可能な一例において、前記通信失敗は、
無線リンク失敗、セカンダリセルグループSCG無線リンク失敗、セカンダリセルSCell無線リンク失敗、のいずれか1つを含む。
【００２６】
ここで、前記無線リンク失敗は、プライマリセルグループMCGの無線リンク失敗とも呼ばれる。
【００２７】
これから分かるように、本例示では、通信失敗過程は複数のリンク失敗シーンのうちの1つを含むため、つまり、5G NRシステムにおいて、端末は無線リンク失敗過程をより正確に開始して、無線リンク失敗をタイムリーに識別できずに中断時間が長くなることを回避し、端末の無線リンク中断をできるだけ低減し、リンク失敗をタイムリーに回復することができ、端末の無線通信の信頼性を高めるのに有利である。
【００２８】
可能な一例において、前記RLC層エンティティに対応する論理チャネルによって設定したキャリアセットはプライマリセルPcellを含み、前記RLC層エンティティの設定に基づいて通信失敗過程をトリガーすることは、
無線リンク失敗過程をトリガーすることを含む。
【００２９】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定してアクティベーションした場合、前記RLC層エンティティに対応する論理チャネルデータをPcellにおいて伝送することができる状況を指す。
【００３０】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定したがアクティベーションしていない場合、前記RLC層エンティティに対応する論理チャネルデータをPcellにおいて伝送することができる状況を指す。
【００３１】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定していない場合、前記RLC層エンティティに対応する論理チャネルデータをPcellにおいて伝送することができる状況を指す。
【００３２】
該可能な一例において、前記RLC層エンティティとは、キャリアアグリゲーション複製機能CA duplicationでのプライマリ無線リンク制御Primary RLC層エンティティを指す。
【００３３】
ここで、上記無線リンク失敗過程をトリガーする過程は、以下のステップ(1)、(2)、(3)を含む。
(1)信号無線ベアラSRB0以外のすべての無線ベアラを一時停止する（suspend all RBs except SRB0）。
(2)MAC層をリセットする（reset MAC）。
(3)RRC接続再確立要求メッセージの伝送を初期化する（initiate transmission of the RRC Connection Reestablishment Request message）。
【００３４】
ここで、前記無線リンク失敗は、プライマリセルグループMCGの無線リンク失敗とも呼ばれる。
【００３５】
これから分かるように、本例示において、RLC層エンティティに対応する論理チャネルによって設定したキャリアセットがプライマリセルPcellを含む場合に対して、端末はRLC層エンティティの設定に基づいて無線リンク失敗過程をトリガーし、信号無線ベアラSRB0以外のすべての無線ベアラを一時停止し、MAC層をリセットし、RRC接続再確立要求メッセージの伝送を初期化し、リンク失敗をタイムリーに回復することができ、端末の無線通信の信頼性を高めるのに有利である。
【００３６】
可能な一例において、前記RLC層エンティティに対応する論理チャネルによって設定したキャリアセットはプライマリセカンダリセル（Primary Secondary Cell、PSCell）を含み、前記RLC層エンティティの設定に基づいて通信失敗過程をトリガーすることは、
セカンダリセルグループSCG無線リンク失敗過程をトリガーすることを含む。
【００３７】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指す。
【００３８】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指す。
【００３９】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指す。
【００４０】
該可能な一例において、前記RLC層エンティティとは、キャリアアグリゲーション複製機能CA duplicationでのプライマリ無線リンク制御Primary RLC層エンティティを指す。
【００４１】
ここで、上記セカンダリセルグループSCG無線リンク失敗過程をトリガーすることは、以下のステップ(4)、(5)、(6)を含む。
(4)全部のセカンダリセルグループのデータの無線データベアラと分離データベアラのセカンダリセルグループ部分の伝送を一時停止する（suspend all SCG DRBs and suspend SCG transmission for split DRBs）。
(5)セカンダリセルグループMAC層をリセットする（reset SCG-MAC）。
(6)セカンダリセルグループの無線リンク失敗メッセージの伝送をネットワークに送信する（initiate transmission of the SCG Failure Information message in accordance with 5.6.13.3）。
【００４２】
これから分かるように、本例示において、RLC層エンティティに対応する論理チャネルによって設定したキャリアセットがプライマリセカンダリセルPSCellを含む場合に対して、端末はRLC層エンティティの設定に基づいてセカンダリセルグループSCG無線リンク失敗過程をトリガーし、全部のセカンダリセルグループのデータの無線データベアラと分離データベアラのセカンダリセルグループ部分の伝送を一時停止し、セカンダリセルグループMAC層をリセットし、セカンダリセルグループ無線リンク失敗メッセージの伝送をネットワークに送信し、リンク失敗をタイムリーに回復することができ、端末の無線通信の信頼性を高めるのに有利である。
【００４３】
可能な一例において、前記RLC層エンティティに対応する論理チャネルによって設定したキャリアセットはSCellのみを含み、前記RLC層エンティティの設定に基づいて通信失敗過程をトリガーすることは、
セカンダリセルSCell無線リンク失敗の報告をトリガーすることを含む。
【００４４】
該可能な一例において、前記RLC層エンティティに対応する論理チャネルによって設定したキャリアセットがSCellのみを含むことは具体的に、前記RLC層エンティティに対応するベアラがデータ複製伝送を設定してアクティベーションした場合、前記RLC層エンティティに対応する論理チャネルデータをScellのみにおいて伝送することができる状況を指す。
【００４５】
該可能な一例において、前記RLC層エンティティとは、キャリアアグリゲーション複製機能CA duplicationでのプライマリ無線リンク制御Primary RLC層エンティティを指す。
【００４６】
該可能な一例において、前記RLC層エンティティとは、キャリアアグリゲーション複製機能CA duplicationでのセカンダリ無線リンク制御secondary RLC層エンティティを指す。
【００４７】
これから分かるように、本例示において、RLC層エンティティに対応する論理チャネルによって設定したキャリアセットがSCellのみを含む場合に対して、端末はRLC層エンティティの設定に基づいてセカンダリセルSCell無線リンク失敗の報告をトリガーし、リンク失敗をタイムリーに回復することができ、端末の無線通信の信頼性を高めるのに有利である。
【００４８】
可能な一例において、前記secondary RLCとは、前記端末のキャリアアグリゲーション複製機能CA duplicationがディアクティベーションされた後、PDCP層エンティティの新しいデータを受信しなくなるRLC層エンティティを指す。
【００４９】
可能な一例において、前記Primary RLC層エンティティとは、前記端末のキャリアアグリゲーション複製機能CA duplication機能がディアクティベーションされた後、PDCP層エンティティからの新しいデータを続いて受信するRLC層エンティティを指す。
【００５０】
図2に示す実施例と同様に、図3を参照して、図3は本願の実施例による他の無線リンク失敗処理方法であり、上記例示の通信システムにおける端末に適用され、前記端末は論理リンク制御RLC層エンティティを備え、該方法は、
301部分において、前記RLC層エンティティが最大再送回数に達する場合、前記端末は無線リンク失敗過程をトリガーすることを含み、前記RLC層エンティティが最大再送回数に達することは、前記RLC層の最大再送回数が予め設定された最大再送閾値に達することを指す。
【００５１】
ここで、前記RLC層エンティティに対応する論理チャネルによって設定したキャリアセットはプライマリセルPcellを含み、前記RLC層エンティティとは、キャリアアグリゲーション複製機能CA duplicationでのプライマリ無線リンク制御Primary RLC層エンティティを指す。
【００５２】
ここで、上記無線リンク失敗過程をトリガーする過程は、以下のステップ(1)、(2)、(3)を含む。
(1)信号無線ベアラSRB0以外のすべての無線ベアラを一時停止する（suspend all RBs except SRB0）。
(2)MAC層をリセットする（reset MAC）。
(3)RRC接続再確立要求メッセージの伝送を初期化する（initiate transmission of the RRC Connection Reestablishment Request message）。
【００５３】
これから分かるように、本願の実施例において、前記RLC層エンティティが最大再送回数に達する場合、端末が前記RLC層エンティティの設定に基づいて通信失敗過程をトリガーする。異なるRLCエンティティに対応する設定は異なってもよいため、端末は異なるRLC層エンティティの設定を区別して、異なる無線リンク失敗過程をトリガーすることができ、これにより端末の無線リンク中断をできるだけ低減して、リンク失敗をタイムリーに回復することができ、端末の無線通信の信頼性を高めるのに有利である。
【００５４】
また、RLC層エンティティに対応する論理チャネルによって設定したキャリアセットがプライマリセルPcellを含む場合に対して、端末はRLC層エンティティの設定に基づいて無線リンク失敗過程をトリガーし、信号無線ベアラSRB0以外のすべての無線ベアラを一時停止し、MAC層をリセットし、RRC接続再確立要求メッセージの伝送を初期化し、リンク失敗をタイムリーに回復することができ、端末の無線通信の信頼性を高めるのに有利である。
【００５５】
図2及び図3の実施例と同様に、図4を参照して、図4は本願の実施例による無線リンク失敗処理方法であり、上記例示の通信システムにおける端末に適用され、前記端末は論理リンク制御RLC層エンティティを備え、該方法は、
401部分において、前記RLC層エンティティが最大再送回数に達する場合、前記端末はセカンダリセルグループSCG無線リンク失敗過程をトリガーすることを含み、前記RLC層エンティティが最大再送回数に達することは、前記RLC層の最大再送回数が予め設定された最大再送閾値に達することを指す。
【００５６】
ここで、前記RLC層エンティティに対応する論理チャネルによって設定したキャリアセットはプライマリセカンダリセルPSCellを含み、前記RLC層エンティティとは、キャリアアグリゲーション複製機能CA duplicationでのプライマリ無線リンク制御Primary RLC層エンティティを指す。
【００５７】
ここで、上記セカンダリセルグループSCG無線リンク失敗過程をトリガーすることは、以下のステップ(3)、(4)、(6)を含む。
(4)全部のセカンダリセルグループのデータの無線データベアラと分離データベアラのセカンダリセルグループ部分の伝送を一時停止する（suspend all SCG DRBs and suspend SCG transmission for split DRBs）。
(5)セカンダリセルグループMAC層をリセットする（reset SCG-MAC）。
(6)セカンダリセルグループの無線リンク失敗メッセージの伝送をネットワークに送信する（initiate transmission of the SCG Failure Information message in accordance with 5.6.13.3）。
【００５８】
これから分かるように、本願の実施例において、前記RLC層エンティティが最大再送回数に達する場合、端末が前記RLC層エンティティの設定に基づいて通信失敗過程をトリガーする。異なるRLCエンティティに対応する設定は異なってもよいため、端末は異なるRLC層エンティティの設定を区別して、異なる無線リンク失敗過程をトリガーすることができ、これにより端末の無線リンク中断をできるだけ低減して、リンク失敗をタイムリーに回復することができ、端末の無線通信の信頼性を高めるのに有利である。
【００５９】
また、RLC層エンティティに対応する論理チャネルによって設定したキャリアセットがプライマリセカンダリセルPSCellを含む場合に対して、端末はRLC層エンティティの設定に基づいてセカンダリセルグループSCG無線リンク失敗過程をトリガーし、全部のセカンダリセルグループのデータの無線データベアラと分離データベアラのセカンダリセルグループ部分の伝送を一時停止し、セカンダリセルグループMAC層をリセットし、セカンダリセルグループ無線リンク失敗メッセージの伝送をネットワークに送信し、リンク失敗をタイムリーに回復することができ、端末の無線通信の信頼性を高めるのに有利である。
【００６０】
上記実施例と同様に、図5を参照して、図5は本願の実施例による端末の構造模式図であり、図面に示すように、該端末はプロセッサ、メモリ、通信インタフェース、1つ又は複数のプログラムを備え、前記1つ又は複数のプログラムは前記メモリに記憶されて、前記プロセッサにより実行されるように設定され、前記プログラムは、
前記RLC層エンティティが最大再送回数に達する場合、前記RLC層エンティティの設定に基づいて通信失敗過程をトリガーするステップを実行するための指令を含む。
【００６１】
これから分かるように、本願の実施例において、前記RLC層エンティティが最大再送回数に達する場合、端末が前記RLC層エンティティの設定に基づいて通信失敗過程をトリガーする。異なるRLCエンティティに対応する設定は異なってもよいため、端末は異なるRLC層エンティティの設定を区別して、異なる無線リンク失敗過程をトリガーすることができ、これにより端末の無線リンク中断をできるだけ低減して、リンク失敗をタイムリーに回復することができ、端末の無線通信の信頼性を高めるのに有利である。
【００６２】
可能な一例において、前記通信失敗は、
無線リンク失敗、セカンダリセルグループSCG無線リンク失敗、セカンダリセルSCell無線リンク失敗、のいずれか1つを含む。
【００６３】
可能な一例において、前記RLC層エンティティが最大再送回数に達することは、前記RLC層の最大再送回数が予め設定された最大再送閾値に達することを指す。
【００６４】
可能な一例において、前記RLC層エンティティに対応する論理チャネルによって設定したキャリアセットはプライマリセルPcellを含み、前記RLC層エンティティの設定に基づいて通信失敗過程をトリガーすることについて、前記プログラムにおける指令は具体的に、
無線リンク失敗過程をトリガーする操作を実行することに用いられる。
【００６５】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定してアクティベーションした場合、前記RLC層エンティティに対応する論理チャネルデータをPcellにおいて伝送することができる状況を指す。
【００６６】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定したがアクティベーションしていない場合、前記RLC層エンティティに対応する論理チャネルデータをPcellにおいて伝送することができる状況を指す。
【００６７】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定していない場合、前記RLC層エンティティに対応する論理チャネルデータをPcellにおいて伝送することができる状況を指す。
【００６８】
可能な一例において、前記RLC層エンティティとは、キャリアアグリゲーション複製機能CA duplicationでのプライマリ無線リンク制御Primary RLC層エンティティを指す。
【００６９】
可能な一例において、前記RLC層エンティティに対応する論理チャネルによって設定したキャリアセットはプライマリセカンダリセルPSCellを含み、前記RLC層エンティティの設定に基づいて通信失敗過程をトリガーすることについて、前記プログラムにおける指令は具体的に、
セカンダリセルグループSCG無線リンク失敗過程をトリガーする操作を実行することに用いられる。
【００７０】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指す。
【００７１】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指す。
【００７２】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指す。
【００７３】
該可能な一例において、前記RLC層エンティティとは、キャリアアグリゲーション複製機能CA duplicationでのプライマリ無線リンク制御Primary RLC層エンティティを指す。
【００７４】
可能な一例において、前記RLC層エンティティに対応する論理チャネルによって設定したキャリアセットはSCellのみを含み、前記RLC層エンティティの設定に基づいて通信失敗過程をトリガーすることについて、前記プログラムにおける指令は具体的に、
セカンダリセルSCell無線リンク失敗の報告をトリガーする操作を実行することに用いられる。
【００７５】
該可能な一例において、前記RLC層エンティティに対応する論理チャネルによって設定したキャリアセットがSCellのみを含むことは具体的に、前記RLC層エンティティに対応するベアラがデータ複製伝送を設定してアクティベーションした場合、前記RLC層エンティティに対応する論理チャネルデータをScellのみにおいて伝送することができる状況を指す。
【００７６】
該可能な一例において、前記RLC層エンティティとは、キャリアアグリゲーション複製機能CA duplicationでのプライマリ無線リンク制御Primary RLC層エンティティを指す。
【００７７】
該可能な一例において、前記RLC層エンティティとは、キャリアアグリゲーション複製機能CA duplicationでのセカンダリ無線リンク制御secondary RLC層エンティティを指す。
【００７８】
可能な一例において、前記secondary RLCとは、前記端末のキャリアアグリゲーション複製機能CA duplicationがディアクティベーションされた後、PDCP層エンティティの新しいデータを受信しなくなるRLC層エンティティを指す。
【００７９】
可能な一例において、前記Primary RLC層エンティティとは、前記端末のキャリアアグリゲーション複製機能CA duplication機能がディアクティベーションされた後、PDCP層エンティティからの新しいデータを続いて受信するRLC層エンティティを指す。
【００８０】
以上では主に各ネットワークエレメントの間のインタラクションの角度から本願の実施例の手段を説明した。理解できるように、端末及びネットワーク装置は上記機能を実現するために、それぞれの機能を実行する相応なハードウェア構造及び/又はソフトウェアモジュールを備える。当業者が容易に認識できるように、本明細書で開示する実施例に説明した様々な例示のユニット及びアルゴリズムステップについて、本願はハードウェア、又はハードウェアとコンピュータソフトウェアとの組合せの形式で実現できる。ある機能がハードウェアで実行されるかそれともコンピュータソフトウェアのハードウェアへの駆動で実行されるかは、技術的手段の特定の適用と設計制約条件によって決められる。専門技術者は、各特定の適用に対して異なる方法を使用して、記述された機能を実現することができるが、そのような実現は本願の範囲を超えるとは考えられない。
【００８１】
本願の実施例は上記方法例に基づいて、端末及びネットワーク装置に対して機能ユニットの区分を行うことができ、例えば、各機能に対応して各機能ユニットを区分してもよく、2つ又は2つ以上の機能を1つの処理ユニットに集積してもよい。上記の集積されたユニットはハードウェアの形式で達成してよく、ソフトウェアプログラムモジュールの形式で達成してもよい。なお、本願の実施例おけるユニットの区分は模式的であり、論理的な機能区分の一つに過ぎず、実際に実現する際に別の区分方式は存在してもよい。
【００８２】
集積されたユニットを採用する場合、図6は上記実施例に係る端末のある可能な機能ユニット構成ブロック図を示す。端末600は、処理ユニット602と通信ユニット603を備える。処理ユニット602は端末の動作を制御して管理することに用いられ、例えば、処理ユニット602は端末が図2におけるステップ201、図3におけるステップ301、図4におけるステップ401及び/又は本明細書に記載の技術のための他の過程を実行することをサポートするためのものである。通信ユニット603は端末と他の装置との通信、例えば図5に示すネットワーク装置との間の通信をサポートするためのものである。端末は、端末のプログラムコード及びデータを記憶するための記憶ユニット601を更に備えてもよい。
【００８３】
ここで、処理ユニット602はプロセッサ又はコントローラであってもよく、例えば、中央処理装置（Central Processing Unit，CPU）、汎用プロセッサ、デジタルシグナルプロセッサ（Digital Signal Processor、DSP）、専用集積回路（Application-Specific Integrated Circuit、ASIC）、フィールドプログラマブルゲートアレイ（Field Programmable Gate Array、FPGA）又は他のプログラマブル論理デバイス、トランジスタ論理デバイス、ハードウェア部品又はそれらの任意の組合せであってもよい。本願の開示に関連して説明された様々な例示的な論理ブロック、モジュール及び回路を実現又は実行することができる。前記プロセッサは計算機能を実現する組合せであってもよく、例えば、1つ又は複数のマイクロプロセッサの組合せ、DSPとマイクロプロセッサの組合せ等を含む。通信ユニット603は送受信機、送受信回路等であってもよく、記憶ユニット601はメモリであってもよい。
【００８４】
ここで、前記処理ユニット602は、前記RLC層エンティティが前記通信ユニット603により最大再送回数に達する場合、前記RLC層エンティティの設定に基づいて通信失敗過程をトリガーすることに用いられる。
【００８５】
これから分かるように、本発明の実施例において、前記RLC層エンティティが最大再送回数に達する場合、端末が前記RLC層エンティティの設定に基づいて通信失敗過程をトリガーする。異なるRLCエンティティに対応する設定は異なってもよいため、端末は異なるRLC層エンティティの設定を区別して、異なる無線リンク失敗過程をトリガーすることができ、これにより端末の無線リンク中断をできるだけ低減して、リンク失敗をタイムリーに回復することができ、端末の無線通信の信頼性を高めるのに有利である。
【００８６】
可能な一例において、前記通信失敗は、
無線リンク失敗、セカンダリセルグループSCG無線リンク失敗、セカンダリセルSCell無線リンク失敗、のいずれか1つを含む。
【００８７】
可能な一例において、前記RLC層エンティティが最大再送回数に達することは、前記RLC層の最大再送回数が予め設定された最大再送閾値に達することを指す。
【００８８】
可能な一例において、前記RLC層エンティティに対応する論理チャネルによって設定したキャリアセットはプライマリセルPcellを含み、前記RLC層エンティティの設定に基づいて通信失敗過程をトリガーすることについて、前記処理ユニット602は具体的に、無線リンク失敗過程をトリガーすることに用いられる。
【００８９】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定してアクティベーションした場合、前記RLC層エンティティに対応する論理チャネルデータをPcellにおいて伝送することができる状況を指す。
【００９０】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定したがアクティベーションしていない場合、前記RLC層エンティティに対応する論理チャネルデータをPcellにおいて伝送することができる状況を指す。
【００９１】
該可能な一例において、前記RLC層エンティティに対応する論理チャネルによって設定したキャリアセットがプライマリセルPcellを含むことは具体的に、前記RLC層エンティティに対応するベアラがデータ複製伝送を設定していない場合、前記RLC層エンティティに対応する論理チャネルデータをPcellにおいて伝送することができる状況を指す。
【００９２】
該可能な一例において、前記RLC層エンティティとは、キャリアアグリゲーション複製機能CA duplicationでのプライマリ無線リンク制御Primary RLC層エンティティを指す。
【００９３】
可能な一例において、前記RLC層エンティティに対応する論理チャネルによって設定したキャリアセットはプライマリセカンダリセルPSCellを含み、前記RLC層エンティティの設定に基づいて通信失敗過程をトリガーすることについて、前記処理ユニット602は具体的に、セカンダリセルグループSCG無線リンク失敗過程をトリガーすることに用いられる。
【００９４】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指す。
【００９５】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指す。
【００９６】
該可能な一例において、前記RLC層エンティティに対応する論理チャネルによって設定したキャリアセットがプライマリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指す。
【００９７】
可能な一例において、前記RLC層エンティティとは、キャリアアグリゲーション複製機能CA duplicationでのプライマリ無線リンク制御Primary RLC層エンティティを指す。
【００９８】
可能な一例において、前記RLC層エンティティに対応する論理チャネルによって設定したキャリアセットはSCellのみを含み、前記RLC層エンティティの設定に基づいて通信失敗過程をトリガーすることについて、前記処理ユニット602は具体的に、セカンダリセルSCell無線リンク失敗の報告をトリガーすることに用いられる。
【００９９】
該可能な一例において、前記RLC層エンティティに対応する論理チャネルによって設定したキャリアセットがSCellのみを含むことは具体的に、前記RLC層エンティティに対応するベアラがデータ複製伝送を設定してアクティベーションした場合、前記RLC層エンティティに対応する論理チャネルデータをScellのみにおいて伝送することができる状況を指す。
【０１００】
該可能な一例において、前記RLC層エンティティとは、キャリアアグリゲーション複製機能CA duplicationでのプライマリ無線リンク制御Primary RLC層エンティティを指す。
【０１０１】
該可能な一例において、前記RLC層エンティティとは、キャリアアグリゲーション複製機能CA duplicationでのセカンダリ無線リンク制御secondary RLC層エンティティを指す。
【０１０２】
可能な一例において、前記secondary RLCとは、前記端末のキャリアアグリゲーション複製機能CA duplicationがディアクティベーションされた後、PDCP層エンティティの新しいデータを受信しなくなるRLC層エンティティを指す。
【０１０３】
可能な一例において、前記Primary RLC層エンティティとは、前記端末のキャリアアグリゲーション複製機能CA duplication機能がディアクティベーションされた後、PDCP層エンティティからの新しいデータを続いて受信するRLC層エンティティを指す。
【０１０４】
処理ユニット602がプロセッサであり、通信ユニット603が通信インタフェースであり、記憶ユニット601がメモリである場合、本願の実施例に係る端末は図6に示す端末であってもよい。
【０１０５】
本願の実施例はコンピュータ読み取り可能な記憶媒体を更に提供し、前記コンピュータ読み取り可能な記憶媒体は電子データ交換のためのコンピュータプログラムを記憶し、前記コンピュータプログラムによりコンピュータは上記方法の実施例における端末に記載の一部又は全部のステップを実行する。
【０１０６】
本願の実施例はコンピュータ読み取り可能な記憶媒体を更に提供し、前記コンピュータ読み取り可能な記憶媒体は電子データ交換のためのコンピュータプログラムを記憶し、前記コンピュータプログラムによりコンピュータは上記方法の実施例におけるネットワーク装置に記載の一部又は全部のステップを実行する。
【０１０７】
本願の実施例はコンピュータプログラム製品を更に提供し、前記コンピュータプログラム製品はコンピュータプログラムを記憶する非瞬時的なコンピュータ読み取り可能な記憶媒体を備え、前記コンピュータプログラムの操作によりコンピュータは上記方法の実施例における端末に記載の一部又は全部のステップを実行する。該コンピュータプログラム製品は、1つのソフトウェアインストールパッケージであってもよい。
【０１０８】
本願の実施例はコンピュータプログラム製品を更に提供し、前記コンピュータプログラム製品はコンピュータプログラムを記憶する非瞬時的なコンピュータ読み取り可能な記憶媒体を備え、前記コンピュータプログラムの操作によりコンピュータは上記方法におけるネットワーク装置に記載の一部又は全部のステップを実行する。該コンピュータプログラム製品は、1つのソフトウェアインストールパッケージであってもよい。
【０１０９】
本願の実施例に記載の方法又はアルゴリズムのステップは、ハードウェアの形態で実現されてもよく、プロセッサによるソフトウェア指令の実行の形態で実現されてもよい。ソフトウェア指令は対応するソフトウェアモジュールで構成してもよく、ソフトウェアモジュールはランダムアクセスメモリ（Random Access Memory、RAM）、フラッシュメモリ、読み出し専用メモリ（Read Only Memory、ROM）、消去可能プログラマブル読み出し専用メモリ（Erasable Programmable ROM、EPROM）、電気的消去可能プログラマブル読み出し専用メモリ（Electrically EPROM、EEPROM）、レジスタ、ハードディスク、リムーバブルディスク、読み取り専用ディスク（CD-ROM）、又は本技術分野で知られている任意の他の形態の記憶媒体に記憶されてもよい。例示的な記憶媒体はプロセッサに結合され、それによりプロセッサは該記憶媒体から情報を読み取り、且つ該記憶媒体に情報を書き込むことができる。もちろん、記憶媒体はプロセッサの構成部分であってもよい。プロセッサ及び記憶媒体はASICに位置してもよい。また、該ASICはアクセスネットワーク装置、ターゲットネットワーク装置又はコアネットワーク装置に位置してもよい。もちろん、プロセッサと記憶媒体は個別の部品としてアクセスネットワーク装置、ターゲットネットワーク装置又はコアネットワーク装置に存在してもよい。
【０１１０】
当業者が認識できるように、上記1つ又は複数の例示において、本願の実施例に説明の機能の全部又は一部は、ソフトウェア、ハードウェア、ファームウェア又はそれらの任意の組合せによって実現されてもよい。ソフトウェアで実現する場合、全部又は一部をコンピュータプログラム製品の形態で実現してもよい。前記コンピュータプログラム製品は1つ又は複数のコンピュータ指令を含む。コンピュータに前記コンピュータプログラム指令をロードして実行する場合、本願の実施例の記載に従うフロー又は機能を全部又は一部的に生成する。前記コンピュータは汎用コンピュータ、専用コンピュータ、コンピュータネットワーク、又は他のプログラマブル装置であってもよい。前記コンピュータ指令はコンピュータ読み取り可能な記憶媒体に記憶され、又は1つのコンピュータ読み取り可能な記憶媒体から他のコンピュータ読み取り可能な記憶媒体に伝送されてもよく、例えば、前記コンピュータ指令は、1つのウェブサイト、コンピュータ、サーバ又はデータセンターから有線(例えば同軸ケーブル、光ファイバ、デジタル加入者回線（Digital Subscriber Line、DSL）)又は無線(例えば赤外線、無線、マイクロ波等)により他のウェブサイト、コンピュータ、サーバ又はデータセンターに伝送されてもよい。前記コンピュータ読み取り可能な記憶媒体は、コンピュータがアクセスできる任意の利用可能な媒体、又は1つ又は複数の利用可能な媒体を集積したサーバ、データセンター等のデータ記憶デバイスであってもよい。前記利用可能な媒体は、磁気媒体(例えば、フレキシブルディスク、ハードディスク、磁気テープ)、光媒体(例えば、デジタルビデオディスク（Digital Video Disc、DVD）)、又は半導体媒体(例えば、ソリッドステートディスク（Solid State Disk、SSD）)等であってもよい。
【０１１１】
上記具体的な実施形態は、本願の実施例の目的、技術的手段及び有益な効果について更に詳細に説明したが、理解できるように、上記は本願の実施例の具体的な実施形態だけであり、本願の実施例の保護範囲を限定するものではなく、本願の実施例の技術的手段に基づくいかなる修正、等同置き換え、改善等は、いずれも本願の実施例の保護範囲に含まれるべきである。
【図１Ａ】
2021521657.tif 000003
【図１Ｂ】
2021521657.tif 000004
【図２】
2021521657.tif 000005
【図３】
2021521657.tif 000006
【図４】
2021521657.tif 000007
【図５】
2021521657.tif 000008
【図６】
2021521657.tif 000009
【手続補正書】
【提出日】令和3年3月12日(2021.3.12)
【手続補正１】
【補正対象書類名】明細書
【補正対象項目名】０００４
【補正方法】変更
【補正の内容】
【０００４】
第1の態様において、本願の実施例は無線リンク失敗処理方法を提供し、端末に適用され、前記端末は無線リンク制御RLC層エンティティを備え、前記方法は、
前記RLC層エンティティが最大再送回数に達する場合、前記RLC層エンティティの設定に基づいて通信失敗過程をトリガーすることを含む。
【手続補正２】
【補正対象書類名】明細書
【補正対象項目名】００１３
【補正方法】変更
【補正の内容】
【００１３】
例として、図1Aは本願に係る無線通信システムを示す。該無線通信システム100は高周波数帯域で動作することができ、ロングタームエボリューション（Long Term Evolution、LTE）システムに限らず、将来進化する第5世代移動通信（the 5th Generation、5G）システム、新無線(NR)システム、マシンツーマシン通信（Machine to Machine、M2M）システム等であってもよい。該無線通信システム100は、1つ又は複数のネットワーク装置101、1つ又は複数の端末103、及びコアネットワーク装置105を備えてもよい。ここで、ネットワーク装置101は基地局であってもよく、基地局は1つ又は複数の端末と通信することに用いられてもよく、一部の端末機能を持つ1つ又は複数の基地局と通信することにも用いられてもよい(例えば、マクロ基地局とマイクロ基地局)。基地局は時分割同期符号分割多元接続（Time Division Synchronous Code Division Multiple Access、TD-SCDMA）システムにおける基地局送受信局（Base Transceiver Station、BTS）であってもよく、LTEシステムにおける進化型基地局（Evolutional Node B、eNB）、及び5Gシステム、新無線(NR)システムにおける基地局であってもよい。また、基地局はアクセスポイント（Access Point、AP）、伝送ノード（Trans TRP）、センターユニット（Central Unit、CU）又は他のネットワークエンティティであってもよく、上記ネットワークエンティティの機能の一部又は全部を含んでもよい。コアネットワーク装置105は、アクセスと移動管理機能（Access and Mobility Management Function、AMF）エンティティ、ユーザプレーン機能（User Plane Function、UPF）エンティティ、セッション管理機能（Session Management Function、SMF）エンティティ等のコアネットワーク側の装置を含む。端末103は無線通信システム100全体に分布してもよく、静止してもよく、移動してもよい。本願のいくつかの実施例において、端末103は移動装置（例えばスマートフォン
）、移動局（mobile station）、移動ユニット（mobile unit）、M2M端末、無線ユニット、リモートユニット、ユーザエージェント、移動クライアント等であってもよい。
【手続補正３】
【補正対象書類名】明細書
【補正対象項目名】００１９
【補正方法】変更
【補正の内容】
【００１９】
図2を参照して、図2は本願の実施例による無線リンク失敗処理方法であり、上記例示の通信システムにおける端末に適用され、前記端末は無線リンク制御RLC層エンティティを備え、該方法は、
201部分において、前記RLC層エンティティが最大再送回数に達する場合、前記端末は前記RLC層エンティティの設定に基づいて通信失敗過程をトリガーすることを含む。
【手続補正４】
【補正対象書類名】明細書
【補正対象項目名】００２０
【補正方法】変更
【補正の内容】
【００２０】
ここで、前記RLC層エンティティが最大再送回数に達することは、前記RLC層データの再送回数が予め設定された最大再送閾値に達することを指し、具体的に、前記RLC層エンティティが処理したRLCサービスデータユニットSDUに関連する再送カウンターでカウントしてもよい。
【手続補正５】
【補正対象書類名】明細書
【補正対象項目名】００２３
【補正方法】変更
【補正の内容】
【００２３】
RLC層の機能はRLCエンティティによって実現される。1つのRLCエンティティは以下の（1）〜（3）のモードの1つに設定されてもよい。
(1)トランスペアレントモードTransparentMode（TM）：TM RLCエンティティに対応し、TMエンティティと略称する。該モードは空きRLCと考えることができ、このモードではデータのトランスペアレント（passthrough）機能しか提供していないからである。
(2)非確認モードUnacknowledgedMode（UM）：UM RLCエンティティに対応し、UMエンティティと略称する。該モードでは再送と再セグメント化以外の全部のRLC機能を提供するため、信頼性の低い伝送サービスを提供する。
(3)確認モードAcknowledgedMode（AM）：AM RLCエンティティに対応し、AMエンティティと略称する。エラー検出と再送により、AMモードでは信頼性の高い伝送サービスを提供する。該モードはすべてのRLC機能を提供する。
【手続補正６】
【補正対象書類名】明細書
【補正対象項目名】００３７
【補正方法】変更
【補正の内容】
【００３７】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指す。
【手続補正７】
【補正対象書類名】明細書
【補正対象項目名】００３８
【補正方法】変更
【補正の内容】
【００３８】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指す。
【手続補正８】
【補正対象書類名】明細書
【補正対象項目名】００３９
【補正方法】変更
【補正の内容】
【００３９】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指す。
【手続補正９】
【補正対象書類名】明細書
【補正対象項目名】００５０
【補正方法】変更
【補正の内容】
【００５０】
図2に示す実施例と同様に、図3を参照して、図3は本願の実施例による他の無線リンク失敗処理方法であり、上記例示の通信システムにおける端末に適用され、前記端末は無線リンク制御RLC層エンティティを備え、該方法は、
301部分において、前記RLC層エンティティが最大再送回数に達する場合、前記端末は無線リンク失敗過程をトリガーすることを含み、前記RLC層エンティティが最大再送回数に達することは、前記RLC層の再送回数が予め設定された最大再送閾値に達することを指す。
【手続補正１０】
【補正対象書類名】明細書
【補正対象項目名】００５５
【補正方法】変更
【補正の内容】
【００５５】
図2及び図3の実施例と同様に、図4を参照して、図4は本願の実施例による無線リンク失敗処理方法であり、上記例示の通信システムにおける端末に適用され、前記端末は無線リンク制御RLC層エンティティを備え、該方法は、
401部分において、前記RLC層エンティティが最大再送回数に達する場合、前記端末はセカンダリセルグループSCG無線リンク失敗過程をトリガーすることを含み、前記RLC層エンティティが最大再送回数に達することは、前記RLC層の再送回数が予め設定された最大再送閾値に達することを指す。
【手続補正１１】
【補正対象書類名】明細書
【補正対象項目名】００５７
【補正方法】変更
【補正の内容】
【００５７】
ここで、上記セカンダリセルグループSCG無線リンク失敗過程をトリガーすることは、以下のステップ(4)、(5)、(6)を含む。
(4)全部のセカンダリセルグループのデータの無線データベアラと分離データベアラのセカンダリセルグループ部分の伝送を一時停止する（suspend all SCG DRBs and suspend SCG transmission for split DRBs）。
(5)セカンダリセルグループMAC層をリセットする（reset SCG-MAC）。
(6)セカンダリセルグループの無線リンク失敗メッセージの伝送をネットワークに送信する（initiate transmission of the SCGFailureInformation message in accordance with 5.6.13.3）。
【手続補正１２】
【補正対象書類名】明細書
【補正対象項目名】００６３
【補正方法】変更
【補正の内容】
【００６３】
可能な一例において、前記RLC層エンティティが最大再送回数に達することは、前記RLC層の再送回数が予め設定された最大再送閾値に達することを指す。
【手続補正１３】
【補正対象書類名】明細書
【補正対象項目名】００７０
【補正方法】変更
【補正の内容】
【００７０】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指す。
【手続補正１４】
【補正対象書類名】明細書
【補正対象項目名】００７１
【補正方法】変更
【補正の内容】
【００７１】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指す。
【手続補正１５】
【補正対象書類名】明細書
【補正対象項目名】００７２
【補正方法】変更
【補正の内容】
【００７２】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指す。
【手続補正１６】
【補正対象書類名】明細書
【補正対象項目名】００８７
【補正方法】変更
【補正の内容】
【００８７】
可能な一例において、前記RLC層エンティティが最大再送回数に達することは、前記RLC層の再送回数が予め設定された最大再送閾値に達することを指す。
【手続補正１７】
【補正対象書類名】明細書
【補正対象項目名】００９４
【補正方法】変更
【補正の内容】
【００９４】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指す。
【手続補正１８】
【補正対象書類名】明細書
【補正対象項目名】００９５
【補正方法】変更
【補正の内容】
【００９５】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指す。
【手続補正１９】
【補正対象書類名】明細書
【補正対象項目名】００９６
【補正方法】変更
【補正の内容】
【００９６】
該可能な一例において、前記RLC層エンティティに対応する論理チャネルによって設定したキャリアセットがプライマリセカンダリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指す。
【手続補正２０】
【補正対象書類名】特許請求の範囲
【補正対象項目名】全文
【補正方法】変更
【補正の内容】
【特許請求の範囲】
【請求項１】
無線リンク失敗処理方法であって、端末に適用され、前記端末は無線リンク制御RLC層エンティティを備え、前記方法は、
前記RLC層エンティティが最大再送回数に達する場合、前記RLC層エンティティの設定に基づいて通信失敗過程をトリガーすることを含むことを特徴とする無線リンク失敗処理方法。
【請求項２】
前記通信失敗は、
無線リンク失敗、セカンダリセルグループSCG無線リンク失敗、セカンダリセルSCell無線リンク失敗、のいずれか1つを含むことを特徴とする請求項1に記載の方法。
【請求項３】
前記RLC層エンティティが最大再送回数に達することは、前記RLC層データの再送回数が予め設定された最大再送閾値に達することを指すことを特徴とする請求項1又は2に記載の方法。
【請求項４】
前記RLC層エンティティに対応する論理チャネルによって設定したキャリアセットはプライマリセルPcellを含み、前記RLC層エンティティの設定に基づいて通信失敗過程をトリガーすることは、
無線リンク失敗過程をトリガーすることを含むことを特徴とする請求項1〜3のいずれか1項に記載の方法。
【請求項５】
前記RLC層エンティティに対応する論理チャネルによって設定したキャリアセットがプライマリセルPcellを含むことは具体的に、前記RLC層エンティティに対応するベアラがデータ複製伝送を設定してアクティベーションした場合、前記RLC層エンティティに対応する論理チャネルデータをPcellにおいて伝送することができる状況を指すことを特徴とする請求項4に記載の方法。
【請求項６】
前記RLC層エンティティに対応する論理チャネルによって設定したキャリアセットがプライマリセルPcellを含むことは具体的に、前記RLC層エンティティに対応するベアラがデータ複製伝送を設定したがアクティベーションしていない場合、前記RLC層エンティティに対応する論理チャネルデータをPcellにおいて伝送することができる状況を指すことを特徴とする請求項4に記載の方法。
【請求項７】
前記RLC層エンティティに対応する論理チャネルによって設定したキャリアセットがプライマリセルPcellを含むことは具体的に、前記RLC層エンティティに対応するベアラがデータ複製伝送を設定していない場合、前記RLC層エンティティに対応する論理チャネルデータをPcellにおいて伝送することができる状況を指すことを特徴とする請求項4に記載の方法。
【請求項８】
前記RLC層エンティティとは、キャリアアグリゲーション複製機能CA duplicationでのプライマリ無線リンク制御Primary RLC層エンティティを指すことを特徴とする請求項4〜7のいずれか1項に記載の方法。
【請求項９】
前記RLC層エンティティに対応する論理チャネルによって設定したキャリアセットはプライマリセカンダリセルPSCellを含み、前記RLC層エンティティの設定に基づいて通信失敗過程をトリガーすることは、
セカンダリセルグループSCG無線リンク失敗過程をトリガーすることを含み、
前記無線リンク失敗過程をトリガーする過程は、
信号無線ベアラSRB0以外のすべての無線ベアラを一時停止することと、
MAC層をリセットすることと、
RRC接続再確立要求メッセージの伝送を初期化することとを含むことを特徴とする請求項1〜3のいずれか1項に記載の方法。
【請求項１０】
前記RLC層エンティティに対応する論理チャネルによって設定したキャリアセットがプライマリセカンダリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指すことを特徴とする請求項9に記載の方法。
【請求項１１】
前記RLC層エンティティに対応する論理チャネルによって設定したキャリアセットがプライマリセカンダリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指すことを特徴とする請求項9に記載の方法。
【請求項１２】
前記RLC層エンティティに対応する論理チャネルによって設定したキャリアセットがプライマリセカンダリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指すことを特徴とする請求項9に記載の方法。
【請求項１３】
前記RLC層エンティティとは、キャリアアグリゲーション複製機能CA duplicationでのプライマリ無線リンク制御Primary RLC層エンティティを指すことを特徴とする請求項9〜12のいずれか1項に記載の方法。
【請求項１４】
前記RLC層エンティティに対応する論理チャネルによって設定したキャリアセットはSCellのみを含み、前記RLC層エンティティの設定に基づいて通信失敗過程をトリガーすることは、
セカンダリセルSCell無線リンク失敗の報告をトリガーすることを含むことを特徴とする請求項1〜3のいずれか1項に記載の方法。
【請求項１５】
前記RLC層エンティティに対応する論理チャネルによって設定したキャリアセットがSCellのみを含むことは具体的に、前記RLC層エンティティに対応するベアラがデータ複製伝送を設定してアクティベーションした場合、前記RLC層エンティティに対応する論理チャネルデータをScellのみにおいて伝送することができる状況を指すことを特徴とする請求項14に記載の方法。
【請求項１６】
前記RLC層エンティティとは、キャリアアグリゲーション複製機能CA duplicationでのプライマリ無線リンク制御Primary RLC層エンティティを指すことを特徴とする請求項14又は15に記載の方法。
【請求項１７】
前記RLC層エンティティとは、キャリアアグリゲーション複製機能CA duplicationでのセカンダリ無線リンク制御secondary RLC層エンティティを指すことを特徴とする請求項14又は15に記載の方法。
【請求項１８】
前記secondary RLCとは、前記端末のキャリアアグリゲーション複製機能CA duplicationがディアクティベーションされた後、PDCP層エンティティの新しいデータを受信しなくなるRLC層エンティティを指すことを特徴とする請求項17に記載の方法。
【請求項１９】
前記Primary RLC層エンティティとは、前記端末のキャリアアグリゲーション複製機能CA duplication機能がディアクティベーションされた後、PDCP層エンティティからの新しいデータを続いて受信するRLC層エンティティを指すことを特徴とする請求項8又は13又は16に記載の方法。
【請求項２０】
端末であって、前記端末はサービスデータ適応プロトコルSDAP層エンティティを備え、前記端末は処理ユニットと通信ユニットを備え、
前記処理ユニットは、前記RLC層エンティティが前記通信ユニットにより最大再送回数に達する場合、前記RLC層エンティティの設定に基づいて通信失敗過程をトリガーすることに用いられることを特徴とする端末。
【請求項２１】
前記通信失敗は、
無線リンク失敗、セカンダリセルグループSCG無線リンク失敗、セカンダリセルSCell無線リンク失敗、のいずれか1つを含むことを特徴とする請求項20に記載の端末。
【請求項２２】
前記RLC層エンティティに対応する論理チャネルによって設定したキャリアセットはプライマリセルPcellを含み、前記RLC層エンティティの設定に基づいて通信失敗過程をトリガーすることについて、前記処理ユニットは具体的に、無線リンク失敗過程をトリガーすることに用いられることを特徴とする請求項20又は21に記載の端末。
【請求項２３】
前記RLC層エンティティに対応する論理チャネルによって設定したキャリアセットがプライマリセルPcellを含むことは具体的に、前記RLC層エンティティに対応するベアラがデータ複製伝送を設定してアクティベーションした場合、前記RLC層エンティティに対応する論理チャネルデータをPcellにおいて伝送することができる状況を指すことを特徴とする請求項22に記載の端末。
【請求項２４】
前記RLC層エンティティに対応する論理チャネルによって設定したキャリアセットがプライマリセルPcellを含むことは具体的に、前記RLC層エンティティに対応するベアラがデータ複製伝送を設定したがアクティベーションしていない場合、前記RLC層エンティティに対応する論理チャネルデータをPcellにおいて伝送することができる状況を指すことを特徴とする請求項22に記載の端末。
【請求項２５】
前記RLC層エンティティに対応する論理チャネルによって設定したキャリアセットがプライマリセルPcellを含むことは具体的に、前記RLC層エンティティに対応するベアラがデータ複製伝送を設定していない場合、前記RLC層エンティティに対応する論理チャネルデータをPcellにおいて伝送することができる状況を指すことを特徴とする請求項22に記載の端末。
【請求項２６】
前記RLC層エンティティとは、キャリアアグリゲーション複製機能CA duplicationでのプライマリ無線リンク制御Primary RLC層エンティティを指すことを特徴とする請求項22〜25のいずれか1項に記載の端末。
【請求項２７】
前記RLC層エンティティに対応する論理チャネルによって設定したキャリアセットはプライマリセカンダリセルPSCellを含み、前記RLC層エンティティの設定に基づいて通信失敗過程をトリガーすることについて、前記処理ユニットは具体的に、セカンダリセルグループSCG無線リンク失敗過程をトリガーすることに用いられることを特徴とする請求項20又は21に記載の端末。
【請求項２８】
前記RLC層エンティティに対応する論理チャネルによって設定したキャリアセットがプライマリセカンダリセルPScellを含むことは具体的に、前記RLC層エンティティに対応するベアラがデータ複製伝送を設定してアクティベーションした場合、前記RLC層エンティティに対応する論理チャネルデータをPScellにおいて伝送することができる状況を指すことを特徴とする請求項27に記載の端末。
【請求項２９】
前記RLC層エンティティに対応する論理チャネルによって設定したキャリアセットがプライマリセカンダリセルPScellを含むことは具体的に、前記RLC層エンティティに対応するベアラがデータ複製伝送を設定したがアクティベーションしていない場合、前記RLC層エンティティに対応する論理チャネルデータをPScellにおいて伝送することができる状況を指すことを特徴とする請求項27に記載の端末。
【請求項３０】
前記RLC層エンティティに対応する論理チャネルによって設定したキャリアセットがプライマリセカンダリセルPScellを含むことは具体的に、前記RLC層エンティティに対応するベアラがデータ複製伝送を設定していない場合、前記RLC層エンティティに対応する論理チャネルデータをPScellにおいて伝送することができる状況を指すことを特徴とする請求項27に記載の端末。
【請求項３１】
前記RLC層エンティティに対応する論理チャネルによって設定したキャリアセットはSCellのみを含み、前記RLC層エンティティの設定に基づいて通信失敗過程をトリガーすることについて、前記処理ユニットは具体的に、セカンダリセルSCell無線リンク失敗の報告をトリガーすることに用いられることを特徴とする請求項20又は21に記載の端末。
【請求項３２】
前記RLC層エンティティに対応する論理チャネルによって設定したキャリアセットがSCellのみを含むことは具体的に、前記RLC層エンティティに対応するベアラがデータ複製伝送を設定してアクティベーションした場合、前記RLC層エンティティに対応する論理チャネルデータをScellのみにおいて伝送することができる状況を指すことを特徴とする請求項31に記載の端末。
【請求項３３】
電子データ交換のためのコンピュータプログラムが記憶され、前記コンピュータプログラムによりコンピュータは請求項1〜19のいずれか1項に記載の方法を実行することを特徴とするコンピュータ読み取り可能な記憶媒体。
【手続補正２１】
【補正対象書類名】図面
【補正対象項目名】図１Ｂ
【補正方法】変更
【補正の内容】
【図１Ｂ】
2021521657.tif 000010
【国際調査報告】
2021521657.tif 000011
2021521657.tif 000012
2021521657.tif 000013
2021521657.tif 000014